(57)【要約】【課題】電話装置において、電子音による着信音に比べて、アナログ音による個性的な着信音を実現する。【解決手段】固定電話装置２は、電話回線１に接続された着信信号検出部１２、制御部１３、着信情報伝達部１４、アナログ音再生部１５、通話回路１８及び送受話器１６を有する。着信信号検出部１２によって電話回線１を通じて入力される着信信号が検出されると、制御部１３は設定した着信情報を着信情報伝達部１４に出力し、さらに着信情報伝達部１４よりアナログ音再生部１５に伝達する。アナログ音再生部１５は、伝達された着信情報を受けてアナログ音を再生することにより、アナログ音の着信音によって着呼者に着呼があったことを通知する。アナログ音再生部１５として、シリンダやディスクを回転させてメロディ音を再生するオルゴール等が用いられる。【選択図】　図１
2004140755.tif 000002
【特許請求の範囲】
【請求項１】
着信信号を検出する着信検出手段と、
前記着信信号の検出を示す着信情報を伝達する着信情報伝達手段と、
本体とは別体に設けられ、前記伝達された着信情報を受信し、着信音としてのアナログ音を再生する着信音再生手段と、
を備えたことを特徴とする電話装置。
【請求項２】
前記着信音再生手段は、前記着信音として、それぞれ異なるアナログ音を再生する複数のアナログ音再生部を有して構成され、
前記複数のアナログ音再生部の中から１つを選択する選択手段を備えたことを特徴とする請求項１に記載の電話装置。
【請求項３】
前記選択手段は、前記着信検出手段により検出された着呼回数に応じて前記選択するアナログ音再生部を切り替えることを特徴とする請求項２記載の電話装置。
【請求項４】
前記着信音再生手段によって再生されるアナログ音に連動して発光する発光手段を備えたことを特徴とする請求項１記載の電話装置。
【請求項５】
前記着信検出手段が電話回線を通じて前記着信信号を検出する固定電話装置に適用されることを特徴とする請求項１〜４のいずれかに記載の電話装置。
【請求項６】
前記着信検出手段がアンテナ及び無線回路を通じて前記着信信号を検出する無線電話装置に適用されることを特徴とする請求項１〜４のいずれかに記載の電話装置。
【発明の詳細な説明】
【０００１】
【発明の属する技術分野】
本発明は、アナログ音によって着呼したことを着呼者に通知する電話装置に関する。
【０００２】
【従来の技術】
従来、電子着信音搭載の電話装置は、着呼があった場合、着信信号検出部が着信信号を検出し、この着信情報を受けてバッファに蓄積されている着信音情報を電子音として再生したり、ランプ類を点灯、点滅させることによって、現在着信中であることを着呼者に通知していた（例えば、特許文献１参照）。
【０００３】
一方、アナログ着信音搭載の電話装置は、着呼があった場合、着信信号検出部が着信信号を検出し、この着信情報を受けてベル音再生装置を作動させることによって、現在着信中であることを着呼者に通知していた。
【０００４】
【特許文献１】
特開平２−７８３４９号公報
【０００５】
【発明が解決しようとする課題】
しかしながら、従来の電子着信音搭載の電話装置では、現行の電子着信音に進歩、改良を求めた場合、多大の開発費、コストの高いＬＳＩの使用等の必要性が生じる。電子着信音の再生装置は、既に技術的にかなり進んでおり、良音質で高機能なものが出回っている。こうした状況では、電子着信音の更なる進歩、改良を図ることは、技術的ばかりでなく、より個性的な着信音の実現という観点においても、容易ではない。
【０００６】
また、多くの家電機器等で報知音として電子音が利用されている環境の中で、着信音についても電子音が利用されているが、使用者においては、より個性的な音、自然な音など、認識しやすくかつ不快感の少ない着信音が望まれている。一方、アナログ着信音搭載の電話装置でも、より個性的な着信音の実現という観点において、ベル音以外に選択肢がなかった。
【０００７】
本発明は、上記課題を解決するためになされたもので、その目的は、アナログ音による個性的な着信音を実現できる電話装置を提供することにある。
【０００８】
【課題を解決するための手段】
本発明に係る電話装置は、着信信号を検出する着信検出手段と、前記着信信号の検出を示す着信情報を伝達する着信情報伝達手段と、本体とは別体に設けられ、前記伝達された着信情報を受信し、着信音としてのアナログ音を再生する着信音再生手段と、を備えた構成を有している。
【０００９】
上記構成によれば、着信音再生手段によって従来使用されていなかったベル音以外のアナログ音を再生することで、アナログ音による個性的な着信音を実現することができ、電子音の着信音や報知音などに対して差別化した個性的な着信音によって着信中であることを着呼者に通知することができる。また、着信音再生手段を電話装置の本体と別体に設けることで、装置構成や組み合わせの自由度が増し、任意のアナログ音再生部を電話装置に組み合わせたり、任意の場所で所望の着信音を聞くことができる。
【００１０】
また、前記着信音再生手段は、前記着信音として、それぞれ異なるアナログ音を再生する複数のアナログ音再生部を有して構成され、前記複数のアナログ音再生部の中から１つを選択する選択手段を備えた構成を有している。
【００１１】
上記構成によれば、選択手段により複数種類のアナログ音による着信音を切り替えて再生することができ、着信音として多様なアナログ音の再生を容易に実現可能となる。
【００１２】
また、前記選択手段は、前記着信検出手段により検出された着呼回数に応じて前記選択するアナログ音再生部を切り替える構成を有している。
【００１３】
上記構成によれば、着呼回数に応じて、例えば着信がある毎に周期的にアナログ音再生部を切り替えてアナログ音の着信音を再生することができる。
【００１４】
また、前記着信音再生手段によって再生されるアナログ音に連動して発光する発光手段を備えた構成を有している。
【００１５】
上記構成によれば、アナログ音の着信音と合わせて、発光手段による光の点灯や点滅によってより識別性の高い着信報知を行うことができる。
【００１６】
また、前記着信検出手段が電話回線を通じて前記着信信号を検出する固定電話装置に適用される構成を有している。
【００１７】
上記構成によれば、アナログ音による個性的な着信音を発生可能な固定電話装置を実現できる。
【００１８】
また、前記着信検出手段がアンテナ及び無線回路を通じて前記着信信号を検出する無線電話装置に適用される構成を有している。
【００１９】
上記構成によれば、アナログ音による個性的な着信音を発生可能なコードレス電話装置などの無線電話装置を実現できる。
【００２０】
【発明の実施の形態】
以下、図面を参照して本発明の実施形態を説明する。
（第１実施形態）
図１は本発明の第１実施形態における電話装置の構成を示すブロック図である。第１実施形態では、固定電話装置の場合の構成例を示す。
【００２１】
第１実施形態の固定電話装置２は、電話回線１に接続された着信信号検出部１２、制御部１３、着信情報伝達部１４、アナログ音再生部１５、同じく電話回線１に接続された通話回路１８及び送受話器１６を有する。
【００２２】
この固定電話装置２において、電話回線１を通じて入力される着信信号は、着信信号検出部１２（着信検出手段に相当する）によって検出される。固定電話装置２の全体の制御は、制御部１３によって行われる。また、制御部１３によって設定される着信情報は、着信情報伝達部１４に出力される。着信情報伝達部１４（着信情報伝達手段に相当する）は入力された着信情報をアナログ音再生部１５に伝達する。アナログ音再生部１５（着信音再生手段に相当する）は伝達された着信情報を受けてアナログ音を再生することにより、着呼者である固定電話装置２の使用者に着呼があったことを通知する。本実施形態では、アナログ音再生部として、シリンダやディスクを回転させてメロディ音を再生するオルゴールが用いられる。
【００２３】
また、着信信号検出部１２によって着信信号が検出されている間、送受話器１６がオフフックされると、通話回路１８は送受話器１６による電話回線１を通じた通話状態を確保する。これにより、着信信号検出部１２において着信信号は検出されなくなり、制御部１３からの着信情報の出力が停止する。このため、アナログ音再生部１５によるアナログ音の着信音再生が停止する。
【００２４】
図２は固定電話装置２の着信動作処理手順を示すフローチャートである。この処理プログラムは、制御部１３内のＲＯＭ等のメモリに格納されており、着信信号が検出される度に、同じく制御部１３内のＣＰＵによって割り込み処理として実行される。
【００２５】
まず、制御部１３は、着信信号検出部１２で着信信号が検出されると、着信情報を設定して着信情報伝達部１４に出力する（ステップＳ１）。これにより、前述したように、着信情報伝達部１４はアナログ音再生部１５に着信情報を伝達し、アナログ音再生部１５（本実施形態ではオルゴール）は再生動作を行ってアナログ音のメロディ音を再生し、着呼者に着呼があったことを通知する。
【００２６】
この後、着呼者によってオフフックされたか否かを判別し（ステップＳ２）、オフフックされた場合、着信信号検出部１２で着信信号が検出されなくなるので、制御部１３は着信情報の伝達停止を着信情報伝達部１４に出力する（ステップＳ３）。これにより、着信情報伝達部１４はアナログ音再生部１５への着信情報の伝達を停止し、アナログ音再生部１５は再生動作を中止する。そして、本処理を終了する。
【００２７】
一方、ステップＳ２で着呼者によってオフフックされなかった場合、着信信号検出部１２で着信信号が継続して検出されているか否かを判別する（ステップＳ４）。着信信号が継続して検出されている場合、ステップＳ２に戻って同様の処理を繰り返す。一方、発呼者により回線が切断され、着信信号が検出されなくなった場合、ステップＳ３に移行して前述した着信情報の停止処理を行う。この後、本処理を終了する。
【００２８】
このように、第１実施形態の固定電話装置では、着呼者は、着信音として従来使用されていなかったベル音以外のアナログ再生音、すなわちオルゴールで再生されるメロディ音によって着呼があったことを認知することができる。
【００２９】
なお、本実施形態では、アナログ音を再生する再生手段としてのアナログ音再生部にオルゴールを用いたが、これに限らず、種々の音再生手段を使用可能であることは勿論である。例えば、ミニピアノ、ミニパイプオルガン、チャイム、鉄琴、木琴等の、電源オン、オフによって動作するもの、あるいは自動演奏するものであってもよい。このことは、以後の実施形態においても同様である。
【００３０】
（第２実施形態）
図３は本発明の第２実施形態における電話装置の構成を示すブロック図である。第２実施形態では、無線電話装置であるコードレス電話装置の場合の構成例を示す。
【００３１】
第２実施形態のコードレス電話装置３０は、アンテナ３１、無線回路３７、着信信号検出部３２、制御部３３、着信情報伝達部３４、アナログ音再生部３５、通話回路３８及び送受話部３６を有する。
【００３２】
このコードレス電話装置３０において、アンテナ３１から受信した着信信号は、無線回路３７を介して着信信号検出部３２によって検出される。コードレス電話装置３０の全体の制御は制御部３３によって行われる。制御部３３によって設定される着信情報は着信情報伝達部３４に出力される。着信情報伝達部３４は入力された着信情報をアナログ音再生部３５に伝達する。アナログ音再生部３５は伝達された着信情報を受けてアナログ音を再生することにより、着呼者に着呼があったことを通知する。本実施形態では、前記第１実施形態と同様、アナログ音再生装置として、シリンダやディスクを回転させてメロディ音を再生するオルゴールなどが用いられる。
【００３３】
また、着信信号検出部３２によって着信信号が検出されている間、送受話部３６がオフフックされると、通話回路３８は送受話部３６によるアンテナ３１及び無線回路３７を介した通話状態を確保する。これにより、着信信号検出部３２において着信信号は検出されなくなり、制御部３３からの着信情報の出力が停止する。このため、アナログ音再生部３５によるアナログ音の着信音再生が停止する。ここで、制御部３３による着信動作処理は、前記第１実施形態と同様であるので、その説明を省略する。
【００３４】
このように、第２実施形態のコードレス電話装置では、前記第１実施形態と同様、着呼者は、着信音として従来使用されていなかったベル音以外のアナログ再生音、すなわちオルゴールなどで再生されるメロディ音によって着呼があったことを認知することができる。
【００３５】
（第３実施形態）
前記第１実施形態では、アナログ音再生部１５は固定電話装置２の本体と一体のものであったが、第３実施形態では、固定電話装置とは別体にアナログ音再生装置が用意されている場合の構成例を示す。
【００３６】
図４は本発明の第３実施形態における固定電話装置の構成を示すブロック図である。ここで、前記第１実施形態と同一の構成要素については同一の符号を付してその説明を省略する。また、制御部１３における処理は前記第１実施形態と同様であるので、その説明を省略する。
【００３７】
第３実施形態の固定電話装置４０では、着信情報伝達部１４に発光部１７（発光手段に相当する）及び出力部２０が接続されている。着信情報伝達部１４から発光部１７に着信情報が伝達されると、発光部１７は光を点灯または点滅して着呼者に着呼があったことを通知する。この発光処理は、前述した第１実施形態における着信時のアナログ音再生処理と同時に行われる。
【００３８】
また、出力部２０には、外部のアナログ音再生装置２２に繋がるケーブル２１が着脱自在に接続されており、着信情報伝達部１４からの着信情報は、出力部２０及びケーブル２１を介してアナログ音再生装置２２に伝達される。アナログ音再生装置２２は、着信情報を受け取ると、第１実施形態のアナログ音再生部１５と同様にアナログ音を再生して着呼者に着呼があったことを通知する。
【００３９】
このように、第３実施形態では、固定電話装置とアナログ音再生装置とが別々に設置可能かつ切り離し自在であるので、着呼者が聴きたい場所にアナログ音再生装置を設置しておくことが可能である。また、任意のアナログ音再生装置を固定電話装置に組み合わせることも可能である。また、固定電話装置とアナログ音再生装置とを無線通信手段により接続することも可能である。このように第３実施形態ではアナログ音再生部の装置構成や組み合わせの自由度を向上できる。
【００４０】
また、発光部１７を有しているので、アナログ音再生装置で再生されるアナログ音が聴き取りにくいような時でも、発光部１７の点灯、点滅によって着呼者は着呼があったことを認知できる。さらに、発光部１７の発光動作とアナログ音再生装置のアナログ音再生動作とを連動させることにより、着呼があったことをより斬新な表現方法で通知できる。なお、発光部の発光動作とアナログ音再生動作とを連動させることは、前記第２実施形態のコードレス電話装置に適用してもよいことは勿論である。
【００４１】
（第４実施形態）
図５は本発明の第４実施形態における固定電話装置の構成を示すブロック図である。ここで、前記第１実施形態と同一の構成要素については同一の符号を付してその説明を省略する。
【００４２】
第４実施形態の固定電話装置５０では、前記第１実施形態と比べ、複数のアナログ音再生部（第１アナログ音再生部１５Ａ、第２アナログ音再生部１５Ｂ、第３アナログ音再生部１５Ｃ）が設けられており、これらは選択部１９（選択手段に相当する）によって適当な順番で切り替られる。なお、本実施形態では、アナログ音再生部の数は３つとしているが、任意の数でよいことは勿論である。
【００４３】
図６は固定電話装置５０の着信動作処理手順を示すフローチャートである。この処理プログラムは、前記第１実施形態と同様、制御部１３内のＲＯＭ等のメモリに格納されており、着信信号が検出される度に、同じく制御部１３内のＣＰＵによって割り込み処理として実行される。なお、前記第１実施形態と同一のステップ処理は同一のステップ番号を付すことによりその説明を省略する。
【００４４】
まず、予め、制御部１３内のＲＡＭに割り当てられ、着呼があった回数（着信回数）を計数するカウンタＣの値を読み出す（ステップＳ１１）。このカウンタＣの値に応じて選択部１９を制御し、選択部１９により３つのアナログ音再生部１５Ａ〜１５Ｃのいずれかを選択する（ステップＳ１２）。この選択は、例えば、カウンタＣのカウント値を値３で除した余りによって決定することが可能である。つまり、余りが値１である場合は第１アナログ音再生部１５Ａが選択され、値２である場合は第２アナログ音再生部１５Ｂが選択され、値３である場合は第３アナログ音再生部１５Ｃが選択されるようにしてもよい。
【００４５】
そして、ステップＳ１において、着信信号検出部１２で着信信号が検出されると制御部１３は着信情報伝達部１４に着信情報を出力し、着信情報伝達部１４は制御部１３によって選択されたアナログ音再生部に対して着信情報を伝達する。これにより、複数のアナログ音再生部１５Ａ〜１５Ｃのうちの選択されたアナログ音再生部において、再生動作を行ってアナログ音のメロディ音を再生し、着呼者に着呼があったことを通知する。
【００４６】
また、ステップＳ３で制御部１３が着信情報の伝達停止を着信情報伝達部１４に出力した後、カウンタＣのカウント値を値１インクリメントして記憶する（ステップＳ５）。この後、本処理を終了する。
【００４７】
このように、第４実施形態では、着呼がある度に、３つのアナログ音再生部１５Ａ〜１５Ｃを切り替えて再生されるアナログ音を替えることにより、着信音に変化を与えることができ、飽きが生じにくい。なお、着呼がある度に切り替える代わりに、例えば、着信と同時に発信者番号が通知されるいわゆる通知であるか発信者番号が通知されない非通知であるかに応じて、あるいは、特定の発呼者からの着信であるか否かなどに応じて、第１〜第３アナログ音再生部１５Ａ〜１５Ｃを切り替えるようにしてもよい。また、１回の着呼であっても、着信時間の経過に応じて第１〜第３アナログ音再生部１５Ａ〜１５Ｃを切り替えるようにしてもよく、この場合、再生されるアナログ音の変化で着信時間のおよその経過を知ることができる。また、第４実施形態の構成を、前記第２実施形態のコードレス電話装置に適用してもよいことは勿論である。
【００４８】
上述したように、本実施形態によれば、従来使用されて来なかったベル音以外のアナログ音を着信音として再生することで、アナログ音による個性的な着信音で着信中であることを着呼者に通知することができる。
【００４９】
また、着信音として多様なアナログ音の再生を容易に実現できる。さらに、着信音として電子音の更なる進歩、改良を求める場合に比べ、容易で安価な開発が可能である。また、電子音による着信音を用いた他の電話装置に対しても、差別化した個性的な着信音を実現できる。さらに、多くの家電機器等の報知音として電子音が使用されている環境の中でも、各種報知音に対して着信音としての差別化を図ることができる。
【００５０】
なお、本発明は、上記実施形態の構成に限られるものではなく、その要旨を逸脱しない範囲において種々の態様で実施し得るものである。例えば、アナログ音再生部の他に、電子音発生部を付加した構成であってもよく、前述した発信者番号などに応じて、アナログ音再生部でアナログ音を再生するか、電子音発生部で電子音を発生させるかを切り替えるようにしてもよい。
【００５１】
【発明の効果】
以上説明したように本発明によれば、着信音としてアナログ音を再生する手段を設けることで、アナログ音による個性的な着信音を実現可能な電話装置を提供することができる。
【図面の簡単な説明】
【図１】本発明の第１実施形態における電話装置の構成を示すブロック図
【図２】第１実施形態における電話装置の着信動作処理手順を示すフローチャート
【図３】本発明の第２実施形態における電話装置の構成を示すブロック図
【図４】本発明の第３実施形態における電話装置の構成を示すブロック図
【図５】本発明の第４実施形態における電話装置の構成を示すブロック図
【図６】第４実施形態における電話装置の着信動作処理手順を示すフローチャート
【符号の説明】
１　電話回線
２、４０、５０　固定電話装置
１２、３２　着信信号検出部
１３、３３　制御部
１４、３４　着信情報伝達部
１５、３５、１５Ａ〜１５Ｃ　アナログ音再生部
１７　発光部
１８、３８　通話回路
１９　選択部
２０　出力部
２２　アナログ音再生装置
３０　コードレス電話装置
３１　アンテナ
３７　無線回路
【図１】
2004140755.tif 000003
【図２】
2004140755.tif 000004
【図３】
2004140755.tif 000005
【図４】
2004140755.tif 000006
【図５】
2004140755.tif 000007
【図６】
2004140755.tif 000008